(57)【要約】【課題】耐火性能、絶縁性能などの諸特性を低下させることなく、配線作業性を向上させることができる耐火ケーブルを提供する。【解決手段】導体１１上に耐火層１２および絶縁体層１３を順に備える耐火絶縁線心１０が複数本、絶縁体層１３を当接させて並列配置されており、その外周に、隣接する耐火絶縁線心１０間の凹部を埋めるように共通の外被２０が被覆されている耐火ケーブル１において、絶縁線心１３間の両側の外被２０表面に、下記要件ｉ）およびii）を満たす断面Ｖ字状の溝２１を設ける。ｉ）絶縁体層１０の外径（Ｄ１）と溝２１幅（ｗ）が次の関係を有する。      ０．８５Ｄ１≦ｗ≦１．２０Ｄ１ii）外被２０の厚さ（ｔ）と溝２１の深さ（ｄ）が次の関係を有する。      ０．３０ｔ≦ｄ≦０．６０ｔ【選択図】図１
2016177874.tif 000002
【特許請求の範囲】
【請求項１】
導体上に耐火層および絶縁体層を順に備える耐火絶縁線心が複数本、前記絶縁体層を当接させて並列配置されており、その外周に、隣接する前記耐火絶縁線心間の凹部を埋めるように共通の外被が被覆されている耐火ケーブルであって、
前記絶縁線心間の両側の外被表面に、下記要件ｉ）およびii）を満たす断面Ｖ字状の溝が設けられていることを特徴とする耐火ケーブル。
ｉ）前記絶縁体層の外径（Ｄ１）と前記溝幅（ｗ）が次の関係を有する。
０．８５Ｄ１≦ｗ≦１．２０Ｄ１
ii）前記溝形成部から外れた位置での前記外被の厚さ（ｔ）と前記溝の深さ（ｄ）が次の関係を有する。
０．３０ｔ≦ｄ≦０．６０ｔ
【請求項２】
前記絶縁体層の外径（Ｄ１）と前記溝幅（ｗ）が次の関係
０．９０Ｄ１≦ｗ≦１．１５Ｄ１
を有し、かつ前記溝形成部から外れた位置での前記外被の厚さ（ｔ）と前記溝の深さ（ｄ）が次の関係
０．４０ｔ≦ｄ≦０．５０ｔ
を有することを特徴とする請求項１に記載の耐火ケーブル。
【請求項３】
前記溝の側面が内側に膨らむ湾曲面で形成されていることを特徴とする耐火ケーブル。する請求項１または２記載の耐火ケーブル。
【請求項４】
前記溝は、前記外被全体が均一な厚さとなるように設けられていることを特徴とする請求項１乃至３のいずれか１項記載の耐火ケーブル。
【発明の詳細な説明】
【技術分野】
【０００１】
本発明は、本発明は、ビルや地下街などの防災設備の電気配線に使用される耐火ケーブルに関する。
【背景技術】
【０００２】
ビルや地下街などの防災設備の電気配線として耐火ケーブルが使用されている。この耐火ケーブルの耐火性能や電気特性、構造や寸法などの基準は、消防庁告示により規定されており、例えば、耐火性能は、現行の「消防庁告示第１０号」では、ＪＩＳ  Ａ  １３０４に定める火災曲線（８４０℃−３０分）の温度条件下でも給電が可能なことが基準とされている。
【０００３】
このような耐火性能の基準を満たす耐火ケーブルとして、導体上に耐火層および絶縁体を順に被覆して耐火絶縁線心とし、これを複数本（例えば、２本）並列させ、その外周に共通のシース（外被）を一括被覆した断面平型の耐火ケーブルが知られている（例えば、特許文献１参照）。
かかる耐火ケーブルにおいて、耐火層には一般に、ガラスマイカテープ、プラスチックマイカテープなどが使用され、絶縁体およびシースには、塩化ビニル樹脂またはポリエチレン（シースのポリエチレンは、難燃剤を含有する難燃性ポリエチレン）が使用されている。特に、近年は、環境への配慮から、絶縁体およびシースには、火災時に煙やガスの発生の少ないポリエチレン系材料が使用されてきている。
【０００４】
しかしながら、ポリエチレン系材料は、塩化ビニル樹脂に比べ硬く、とりわけ耐燃性を付与するために難燃剤を配合したポリエチレンは硬い。さらに、耐火ケーブルでは、導体と絶縁体層の間に上記のように耐火層を備えることから剛性がさらに増大する。このため、配線時の作業性（施工性）にやや難があり、特に、一般の屋内配線に用いるビニル系の平型絶縁ケーブル（例えば、ＶＶＦ（６００Ｖビニル絶縁ビニルシースケーブル平形）ケーブルなど）に比べ、施工性に乏しかった。
【先行技術文献】
【特許文献】
【０００５】
【特許文献１】実公平６−２１７２号公報
【発明の概要】
【発明が解決しようとする課題】
【０００６】
本発明は、上記従来技術の課題を解決するためになされたものであり、耐火ケーブルに要求される耐火性能、絶縁性能などの諸特性を低下させることなく、配線作業性を向上させることができる耐火ケーブルを提供することを目的としている。
【課題を解決するための手段】
【０００７】
本発明は、以下の［１］〜［４］の構成を有する耐火ケーブルを提供する。
［１］導体上に耐火層および絶縁体層を順に備える耐火絶縁線心が複数本、前記絶縁体層を当接させて並列配置されており、その外周に、隣接する前記耐火絶縁線心間の凹部を埋めるように共通の外被が被覆されている耐火ケーブルであって、前記絶縁線心間の両側の外被表面に、下記要件ｉ）およびii）を満たす断面Ｖ字状の溝が設けられていることを特徴とする耐火ケーブル。
ｉ）前記絶縁体層の外径（Ｄ１）と前記溝幅（ｗ）が次の関係を有する。
０．８５Ｄ１≦ｗ≦１．２０Ｄ１
ii）前記溝形成部から外れた位置での前記外被の厚さ（ｔ）と前記溝の深さ（ｄ）が次の関係を有する。
０．３０ｔ≦ｄ≦０．６０ｔ
［２］前記絶縁体層の外径（Ｄ１）と前記溝幅（ｗ）が次の関係
０．９０Ｄ１≦ｗ≦１．１５Ｄ１
を有し、かつ前記溝形成部から外れた位置での前記外被の厚さ（ｔ）と前記溝の深さ（ｄ）が次の関係
０．４０ｔ≦ｄ≦０．５０ｔ
を有することを特徴とする［１］の耐火ケーブル。
［３］前記溝の側面が内側に膨らむ湾曲面で形成されていることを特徴とする［１］または［２］の耐火ケーブル。
［４］前記溝は、前記外被全体が均一な厚さとなるように設けられていることを特徴とする［１］乃至［３］のいずれかの耐火ケーブル。
【発明の効果】
【０００８】
本発明によれば、耐火ケーブルに要求される耐火性能、絶縁性能などの諸特性を低下させることなく、配線作業性を向上させることができる耐火ケーブルを提供することができる。
【図面の簡単な説明】
【０００９】
【図１】本発明の一実施形態の耐火ケーブルを示す横断面図である。
【図２】本発明の一実施形態の変形例を示す横断面図である。
【図３】従来の耐火ケーブルの一例を示す横断面図である。
【発明を実施するための形態】
【００１０】
以下、本発明の実施の形態について説明する。説明は図面に基づいて行うが、図面は単に図解のために提供されるものであって、本発明はそれらの図面により何ら限定されるものではない。また、以下の説明において、同一もしくは略同一の機能及び構成を有する構成要素については、同一符号を付し、重複する説明は省略する。
【００１１】
図１は、本発明の一実施形態の耐火ケーブルを示す横断面図である。
【００１２】
図１に示すように、本実施形態の耐火ケーブル１は、銅やアルミなどからなる導体１１上に、耐火層１２および絶縁体層１３を順に被覆した耐火絶縁線心線１０を複数本（図面の例では、２本）並列させ、その外周に共通の外被２０を一括被覆した構造を有する。
【００１３】
耐火層１２は、ガラスクロスにマイカを接着したガラスマイカテープ、ポリエチレンなどからなるプラスチックフィルムにマイカを接着したプラスチックマイカテープなどの耐火テープを巻き付け、その外周をガラスヤーンなどで押え巻（図示なし）することにより形成される。巻き付け方法は、縦添えおよび重ね巻きのいずれであってもよい。耐火層１２は、導体１１外周に断面円形状に形成され、その厚さは、通常、０．１〜０．６ｍｍの範囲である。
【００１４】
絶縁体層１３は、塩化ビニル樹脂、ポリオレフィンなどの押出しにより形成される。ポリオレフィンとしては、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、直鎖状低密度ポリエチレン（ＬＬＤＰＥ）、ポリプロピレン、ポリイソブチレン、エチレン・酢酸ビニル共重合体（ＥＶＡ）、エチレン・アクリル酸エチル共重合体（ＥＥＡ）、エチレン・アクリル酸メチル共重合体（ＥＭＡ）、エチレン・プロピレン共重合体、エチレン・プロピレン・ジエン三元共重合体、エチレン・ブテン共重合体などが挙げられる。また、メタロセン触媒によりエチレンにプロピレン、ブテン、ペンテン、ヘキセン、オクテンなどのα‐オレフィンや環状オレフィンなどを共重合させたものなども使用することができる。これらは単独または混合して使用される。耐火性能、環境保全性などの観点からは、なかでも、低密度ポリエチレン（ＬＤＰＥ）の使用が好ましく、低密度ポリエチレン（ＬＤＰＥ）の単独使用が特に好ましい。
【００１５】
絶縁体層１３を形成するポリエチレンなどの絶縁材料には、酸化防止剤、紫外線安定剤などの添加剤が必要に応じて添加されていてもよい。ただし、難燃剤は電気特性、耐水性などを低下させることからその使用は好ましくない。絶縁体層１３は耐火層１２の外周に断面円形状に形成され、その厚さは、通常、０．８〜１．０ｍｍの範囲である。
【００１６】
外被２０は、塩化ビニル樹脂、ポリオレフィン、これらの樹脂に難燃剤を配合することにより難燃性を付与した難燃性ポリマーなどの押出しにより形成される。ポリオレフィンとしては、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、直鎖状低密度ポリエチレン（ＬＬＤＰＥ）、ポリプロピレン、ポリイソブチレン、エチレン・酢酸ビニル共重合体（ＥＶＡ）、エチレン・アクリル酸エチル共重合体（ＥＥＡ）、エチレン・アクリル酸メチル共重合体（ＥＭＡ）、エチレン・プロピレン共重合体、エチレン・プロピレン・ジエン三元共重合体、エチレン・ブテン共重合体などが挙げられる。また、メタロセン触媒によりエチレンにプロピレン、ブテン、ペンテン、ヘキセン、オクテンなどのα‐オレフィンや環状オレフィンなどを共重合させたものなども使用することができる。これらは単独または混合して使用される。また、難燃性ポリマーに配合される難燃剤としては、酸化アンチモン、酸化モリブデンなどの金属酸化物、水酸化アルミニウム、水酸化マグネシウムなどの金属水和物、ハロゲン系難燃剤、赤リンなどのリン系難燃剤などが挙げられる。
【００１７】
外被２０を形成する材料（外被材料）としては、なかでも、塩化ビニル樹脂、難燃性ポリエチレン、ポリエチレンとエチレン・酢酸ビニル共重合体（ＥＶＡ）、エチレン・アクリル酸エチル共重合体（ＥＥＡ）、エチレン・アクリル酸メチル共重合体（ＥＭＡ）などのエチレン系コポリマーとの混合ポリマーに難燃剤を配合したものが、難燃性、耐火性能、耐外傷性、耐候性などの観点から、好ましい。また、環境保全性の観点からは、ノンハロゲン系難燃剤、例えば、水酸化アルミニウムや水酸化マグネシウムなどの金属水和物により難燃化したポリエチレンまたはポリエチレンとエチレン系コポリマーとの混合ポリマーがより好ましい。さらに、端末処理の際の被覆（外被）除去性の観点からは、難燃性ポリエチレンが好ましい。
外被材料には、必要に応じて、架橋剤、架橋助剤、酸化防止剤、滑材などが添加されていてもよい。また、外被材料は、電子線や有機過酸化物などで架橋してもよい。
【００１８】
本実施形態において、耐火絶縁線心線１０は、その最外層の絶縁体層１３同士を当接させて並列配置されており、外被２０は、それらの隣接する耐火絶縁線心１０間の凹部を埋めるように被覆されている。
そして、その外被２０の表面、すなわち、耐火絶縁線心１０間の両側の外被２０表面には、下記要件ｉ）およびii）を満たす断面Ｖ字状の溝２１が設けられている。
ｉ）絶縁体層１３の外径（Ｄ１）と溝２１の幅（ｗ）が次の関係を有する。
０．８５Ｄ１≦ｗ≦１．２０Ｄ１
ii）溝２１形成部から外れた位置での外被２０の厚さ（ｔ）と溝２１の深さ（ｄ）が次の関係を有する。
０．３０ｔ≦ｄ≦０．６０ｔ
なお、外被２０は、少なくとも溝２１形成部から外れた位置は均一な厚さに被覆されている。
【００１９】
溝幅（ｗ）は、０．９０Ｄ１≦ｗ≦１．１５Ｄ１を満たすことが好ましく、０．９５Ｄ１≦ｗ≦１．０５Ｄ１を満たすことがより好ましく、０．９８Ｄ１≦ｗ≦１．０２Ｄ１であることがより一層好ましい。溝幅（ｗ）が、絶縁体層の外径（Ｄ１）と同じか、略同じであると特に好ましい。
また、溝深さ（ｄ）は、０．４０ｔ≦ｄ≦０．５０ｔを満たすことが好ましい。
【００２０】
このように構成される耐火ケーブル１においては、上記要件ｉ）およびii）を満たす断面Ｖ字状の溝２１が設けられたことによって、従来の、例えば、図３に示すような、絶縁線心１０間の両側の外被２０表面が平坦な平面で形成されている耐火ケーブルに比べ、低摩擦化が図ることができるとともに、可撓性を向上させることができ、さらに、捩じれなどの発生も抑制できる。しかも、上記要件ｉ）およびii）を満たす溝２１は、耐火ケーブル１の耐火性能、電気特性、機械的特性を損なうことがない。したがって、従来の耐火ケーブルに匹敵する耐火性能、電気特性、機械的特性を備えながら、配線時の作業性を改善し、作業時間を短縮することができる。また、配線後の耐火ケーブル１の外観も良好である。
【００２１】
また、上記耐火ケーブル１においては、断面Ｖ字状の溝２１が設けられているため、端末処理の際、外被を容易に除去することができる。すなわち、従来、耐火ケーブルの端末処理の際には、カッターで外被を切り裂いて、内部の耐火絶縁線心を取り出していたが、カッターの挿入位置（切り込み位置）が安定せず、絶縁体を損傷させることがあった。本実施形態においては、断面Ｖ字状の溝２１が、いわゆる引き裂きノッチとしての機能を併せ持ち、カッターの挿入位置を安定化させることができ、カッターによる絶縁体の損傷を防止することができる。
【００２２】
また、断面Ｖ字状の溝２１は、側面が内側に膨らむ湾曲面で形成されていることが好ましい。これにより、耐火性能、電気特性、機械的特性の低下をより抑制することができる。
【００２３】
さらに、耐火絶縁線心１０間の両側の外被２０表面に設けられた断面Ｖ字状の溝２１は、それぞれの先端が隣接する絶縁体層１３の当接部を挟んで対向するように設けられていることが好ましい。これにより、端末処理時の外被除去性をより改善することができる。
なお、外被材料によっては（例えば、ポリエチレンなど）、カッターの先端が絶縁体層１３まで達しなくとも、すなわち、外被２０にわずかな切り込みを入れるだけでも、その切り込みを起点にして引き裂き、剥ぎ取ることができる。このような場合でも、断面Ｖ字状の溝２１によって、切り込み位置を安定化させることができるため、外被２０を容易に剥ぎ取ることが可能になる。また、絶縁線心間の両側の外被表面に設けられた断面Ｖ字状の溝２１の先端同士を対向させた場合には、外被をより容易に除去することが可能になる。
【００２４】
本実施形態においては、断面Ｖ字状の溝２１は、外被２０全体が均一な厚さとなるように設けられていることが、耐火性能、電気特性、機械的特性の低下を抑制し、かつ配線時の作業性を改善する観点から特に好ましい。
上記「外被全体が均一な厚さとなる」とは、外被２０表面の任意の位置から絶縁体層１３外周までの距離を測定したとき同じ値となることを意味する。なお、本明細書において、ケーブルの外径や被覆の厚さなどに関して記載する数値や用語は、本発明が属する技術分野において許容される誤差または範囲を含むものとする。上記の「均一な」や「同じ値」などの用語についても同様である。
【００２５】
ここで、本発明による効果を確認するため、上記耐火ケーブル１を試作し、その特性（配線作業性、被覆除去性および電気特性）を評価した実験について記載する。評価方法を下記に、また、評価結果を、外被２０の厚さ（ｔ）、絶縁体層１３の外径（Ｄ１）、溝２１の幅（ｗ）、溝２１の幅（ｗ）と絶縁体層１３の外径（Ｄ１）との比（ｗ）／（Ｄ１）、および溝２１の深さ（ｄ）と外被２０の厚さ（ｔ）との比（ｄ）／（ｔ）とともに表１に示す。
【００２６】
なお、耐火絶縁線心１０は、直径２．０ｍｍの銅導体１１上に約０．１８ｍｍ厚のプラスチックマイカテープを１枚縦添えし、ガラスヤーンで押え巻して約０．３ｍｍ厚の耐火層１２を形成し、さらにその外側に、低密度ポリエチレン（ＬＤＰＥ）を、外径が約４．０ｍｍとなるように押出被覆して構成した。また、このような耐火絶縁線心１０を２本並列させて押出機に送り出し、その外周に難燃性ポリエチレン（酸素指数（ＪＩＳ  Ｋ  ７２０１）２７）を充実押出被覆して、外被２０を構成した。外被２０の厚さ（ｔ）は約１．５ｍｍとした。また、溝２１はいずれも、略同一形状（側面が内側に膨らむ湾曲面からなる断面Ｖ字状）で、かつ絶縁線心１０間の両側の外被２０表面に設けられた溝２１の先端同士が対向するように構成した。
【００２７】
［配線作業性］
試作した耐火ケーブルを、既設建屋の壁面に沿って配線し、下記の基準で評価した。
◎：略壁面に沿って円滑に配線できる
○：壁面に対しわずかに捩じれまたは浮きが認められる（実用上問題なし）
△：壁面に対し捩じれおよび浮きが認められる
×：壁面に沿った配線が困難
【００２８】
［被覆除去性］
外被にカッターを用いて切り込みを入れ、この切り込みを起点に外被を引き裂き、内部の２本の耐火絶縁線心を取り出し、下記の基準で評価した。
○：絶縁体を損傷することなく短時間に被覆を除去できる
△：絶縁体を損傷しないものの、被覆の除去に時間を要する
×：絶縁体にカッターによる損傷が認められる
【００２９】
［電気特性］
試作した耐火ケーブルの外被が電気用品安全法の技術基準に適合するか否かにより評価した。
○：適合する
×：適合せず
【００３０】
表１には、本発明との比較のために、溝が前述した要件ｉ）およびii）を満足しない耐火ケーブルについて、同様に特性評価した結果を併せ示した。試作した耐火ケーブルは、溝の構成以外はいずれも同一構成とした。
【００３１】
【表１】
2016177874.tif 000003
【００３２】
表１からも明らかなように、溝が前述した要件ｉ）およびii）を満たす耐火ケーブル（例１−２〜例１−４、例２−２〜例２−４、例３−２〜例３−４、例４−２〜例４−４、例５−２〜例５−４、例７−２〜例７−４、例８−２〜例８−４、例９−２〜例９−４、例１０−２〜例１０−４）においては、配線作業性、電気特性および被覆除去性においていずれも良好な結果が得られており、特に、０．９０Ｄ１≦ｗ≦１．１５Ｄ１および０．４０ｔ≦ｄ≦０．５０ｔを満たす耐火ケーブル(例２−４、例３−４、例４−４、例５−４、例７−４、例８−４、例９−４）でより良好な結果が得られている。
【００３３】
なお、本実施形態において、並列させる耐火絶縁線心の数は、特に限定されるものではないが、耐火絶縁線心数が、２本または３本の場合に、配線作業性に関し、特に顕著な効果が得られる。図２に、耐火絶縁線心が３本の場合の耐火ケーブル２の構成例を示す。図２に示すように、耐火ケーブル２は、導体１１上に、耐火層１２および絶縁体層１３を順に被覆した耐火絶縁線心線１０が３本、絶縁体層１３を当接させて並列配置されており、その外周に共通の外被２０が一括被覆されている。そして外被２０の表面には、前述したような断面Ｖ字状の溝２１が設けられている。
【００３４】
以上、本発明の実施形態およびその変形例について説明してきたが、本発明はそのような実施形態およびその変形例に何ら限定されるものではなく、発明の要旨を逸脱しない範囲で、種々の省略、置き換え、変更を行うことができる。また、これらの実施形態やその変形例は、発明の範囲や要旨に含まれると共に、特許請求の範囲に記載された発明とその均等の範囲に含まれる。
【符号の説明】
【００３５】
１，２…耐火ケーブル、１０…耐火絶縁線心、１１…導体、１２…耐火層、１３…絶縁体層、２０…外被、２１…断面Ｖ字状の溝。
【図１】
2016177874.tif 000004
【図２】
2016177874.tif 000005
【図３】
2016177874.tif 000006